(57)【要約】【課題】パラメトリックスピーカーを用いて音声の指向性を変更する音響システムにおいて音声の可聴音場範囲を聴取者に認識させる。【解決手段】音響システム１０は、可聴音出力スピーカー１８０と、パラメトリックスピーカー２８０と、音声の出力先を切り替える出力先切替部１３０と、可聴音出力スピーカー１８０への切替に応じて第１の照射範囲ＬＡｗに光を照射すると共に、パラメトリックスピーカー２８０への切替に応じて第２の照射範囲ＬＡｎに光を照射する照射部４００とを備える。【選択図】図３
2013192046.tif 000002
【特許請求の範囲】
【請求項１】
音響システムであって、
可聴音波を出力して音声を再生する可聴音出力スピーカーと、
超音波を出力して音声を再生するパラメトリックスピーカーと、
前記可聴音出力スピーカーと前記パラメトリックスピーカーとの間で音声の出力先を切り替える出力先切替部と、
前記出力先切替部による前記可聴音出力スピーカーへの切替に応じて、前記可聴音出力スピーカーによる音声の可聴音場範囲に対応する第１の照射範囲に光を照射すると共に、前記出力先切替部による前記パラメトリックスピーカーへの切替に応じて、前記パラメトリックスピーカーによる音声の可聴音場範囲に対応する第２の照射範囲に光を照射する照射部と
を備える音響システム。
【請求項２】
請求項１に記載の音響システムであって、
前記可聴音出力スピーカーによる前記可聴音波の放出方向に、前記パラメトリックスピーカーによる前記超音波の放出方向を合わせて、前記可聴音出力スピーカーおよび前記パラメトリックスピーカーを構成し、
前記可聴音出力スピーカーおよび前記パラメトリックスピーカーよりも、前記可聴音波および前記超音波の各放出方向に対する反対方向側に、前記照射部を配置した、音響システム。
【請求項３】
請求項１または請求項２に記載の音響システムであって、
前記照射部は、
光を放出する光源と、
前記光源からの光の経路を調整するレンズと
を含み、
前記照射部は、前記光源および前記レンズの少なくとも一方を移動させることによって、前記第１の照射範囲と前記第２の照射範囲との間で照射範囲を切り替える、音響システム。
【請求項４】
請求項１または請求項２に記載の音響システムであって、
前記照射部は、
光を放出する光源と、
前記光源からの光を反射させる反射鏡と
を含み、
前記照射部は、前記光源および前記反射鏡の少なくとも一方を移動させることによって、前記第１の照射範囲と前記第２の照射範囲との間で照射範囲を切り替える、音響システム。
【発明の詳細な説明】
【技術分野】
【０００１】
本発明は、音声を発生させる音響システムに関する。
【背景技術】
【０００２】
音声を再生するスピーカーとしては、可聴音波を出力して音声を再生する一般的な可聴音出力スピーカーに加え、超音波を出力して音声を再生するパラメトリックスピーカーが知られている。
【０００３】
特許文献１には、パラメトリックスピーカーによる音声を聴取可能な範囲を目で確認可能にするために、パラメトリックスピーカーによる床面上の可聴音場範囲を光で照射する音響システムが記載されている。
【０００４】
特許文献２には、可聴音出力スピーカーとパラメトリックスピーカーとの間で音声の出力先を切り替えることによって、再生される音声の指向性を変更する音響システムが記載されている。このような音響システムでは、指向角度が比較的に広い広角範囲の指向性に変更する際には可聴音出力スピーカーを出力先として使用し、指向角度が比較的に狭い狭角範囲の指向性に変更する際にはパラメトリックスピーカーを出力先として使用する。
【先行技術文献】
【特許文献】
【０００５】
【特許文献１】特開平１１−２７７７４号公報
【特許文献２】特開２００７−６７５１４号公報
【発明の概要】
【発明が解決しようとする課題】
【０００６】
パラメトリックスピーカーを用いて音声の指向性を変更する音響システムでは、可聴音出力スピーカーによる音声であるか、パラメトリックスピーカーによる音声であるかを、聴取した音声から聴取者自身が認識することは困難であった。
【０００７】
本発明は、上記した課題を踏まえ、パラメトリックスピーカーを用いて音声の指向性を変更する音響システムにおいて音声の可聴音場範囲を聴取者に認識させることを目的とする。
【課題を解決するための手段】
【０００８】
本発明は、上述の課題の少なくとも一部を解決するためになされたものであり、以下の形態または適用例として実現することが可能である。
【０００９】
［適用例１］適用例１の音響システムは、可聴音波を出力して音声を再生する可聴音出力スピーカーと、超音波を出力して音声を再生するパラメトリックスピーカーと、前記可聴音出力スピーカーと前記パラメトリックスピーカーとの間で音声の出力先を切り替える出力先切替部と、前記出力先切替部による前記可聴音出力スピーカーへの切替に応じて、前記可聴音出力スピーカーによる音声の可聴音場範囲に対応する第１の照射範囲に光を照射すると共に、前記出力先切替部による前記パラメトリックスピーカーへの切替に応じて、前記パラメトリックスピーカーによる音声の可聴音場範囲に対応する第２の照射範囲に光を照射する照射部とを備えることを特徴とする。この適用例によれば、可聴音出力スピーカーおよびパラメトリックスピーカーの各可聴音場範囲を聴取者に認識させることができる。
【００１０】
［適用例２］適用例１の音響システムにおいて、前記可聴音出力スピーカーによる前記可聴音波の放出方向に、前記パラメトリックスピーカーによる前記超音波の放出方向を合わせて、前記可聴音出力スピーカーおよび前記パラメトリックスピーカーを構成し、前記可聴音出力スピーカーおよび前記パラメトリックスピーカーよりも、前記可聴音波および前記超音波の各放出方向に対する反対方向側に、前記照射部を配置しても良い。この適用例によれば、可聴音出力スピーカーおよびパラメトリックスピーカーによる音声の再生を照射部で阻害することなく、可聴音出力スピーカーの可聴音場範囲と第１の照射範囲との間の相関性、およびパラメトリックスピーカーの可聴音場範囲と第２の照射範囲との間の相関性を、それぞれ向上させることができる。
【００１１】
［適用例３］適用例１または適用例２の音響システムにおいて、前記照射部は、光を放出する光源と、前記光源からの光の経路を調整するレンズとを含み、前記照射部は、前記光源および前記レンズの少なくとも一方を移動させることによって、前記第１の照射範囲と前記第２の照射範囲との間で照射範囲を切り替えるとしても良い。この適用例によれば、第１の照射範囲と第２の照射範囲との間で光の照射範囲を容易に切り替えることができる。
【００１２】
［適用例４］適用例１または適用例２の音響システムにおいて、前記照射部は、光を放出する光源と、前記光源からの光を反射させる反射鏡とを含み、前記照射部は、前記光源および前記反射鏡の少なくとも一方を移動させることによって、前記第１の照射範囲と前記第２の照射範囲との間で照射範囲を切り替えるとしても良い。この適用例によれば、第１の照射範囲と第２の照射範囲との間で光の照射範囲を容易に切り替えることができる。
【００１３】
本発明の形態は、音響システムに限るものではなく、音響システムを制御するためのコンピュータープログラム、音声を発生させる方法など他の形態に適用することもできる。また、本発明は、前述の形態に何ら限定されるものではなく、本発明の趣旨を逸脱しない範囲内において様々な形態で実施し得ることは勿論である。
【図面の簡単な説明】
【００１４】
【図１】音響システムの構成を示す説明図である。
【図２】可聴音出力スピーカーおよびパラメトリックスピーカーの構成を示す説明図である。
【図３】広角指向時に照射部が光を照射する様子を示す説明図である。
【図４】狭角指向時に照射部が光を照射する様子を示す説明図である。
【図５】第２実施形態における広角指向時に照射部が光を照射する様子を示す説明図である。
【図６】第２実施形態における狭角指向時に照射部が光を照射する様子を示す説明図である。
【発明を実施するための形態】
【００１５】
以上説明した本発明の構成および作用を一層明らかにするために、以下本発明を適用した音響システムについて説明する。
【００１６】
Ａ．第１実施形態：
Ａ−１．音響システムの構成：
図１は、音響システム１０の構成を示す説明図である。音響システム１０は、音声を発生させる装置である。本実施形態では、音響システム１０は、屋外および屋内を含め比較的に広い空間（例えば、公園、商業施設、駅、ホール、住宅）に、音声を発生させる装置である。
【００１７】
音響システム１０は、音声信号入力部１１０と、音声信号処理部１２０と、出力先切替部１３０と、信号増幅器１６０と、可聴音出力スピーカー１８０と、変調部２４０と、超音波発振器２５０と、信号増幅器２６０と、パラメトリックスピーカー２８０とを備える。音響システム１０は、可聴音出力スピーカー１８０とパラメトリックスピーカー２８０との間で、音声の出力先を切替可能に構成されている。これによって、音響システム１０は、可聴音出力スピーカー１８０による比較的に指向角度が広い広角範囲の指向性（広角指向）と、パラメトリックスピーカー２８０による比較的に指向角度が狭い狭角範囲の指向性（狭角指向）との間で、音声の指向性を変更することが可能である。
【００１８】
音響システム１０の音声信号入力部１１０は、音響システム１０の外部機器である音声機器８０から音声信号の入力を受け付ける。音声機器８０は、音声信号を出力する装置であり、マイクロフォン、ＣＤプレーヤー（Compact Disc Player）、ＤＶＤプレーヤー（Digital Versatile Disc Player）、デジタルオーディオプレーヤー（Digital Audio Player）、チューナー（Tuner）などを含む。
【００１９】
音響システム１０の音声信号処理部１２０は、音声信号入力部１１０に入力された音声信号を処理する。本実施形態では、音声信号処理部１２０は、音声信号入力部１１０に入力された音声信号を帯域毎に処理するイコライザーである。
【００２０】
音響システム１０の出力先切替部１３０は、音声信号処理部１２０で処理された音声信号に基づく音声の出力先を、可聴音出力スピーカー１８０とパラメトリックスピーカー２８０との間で切り替える。本実施形態では、出力先切替部１３０は、音声信号処理部１２０において音声信号を出力する側の接続先を、可聴音出力スピーカー１８０側と、パラメトリックスピーカー２８０側との間で切り替えるスイッチである。
【００２１】
音響システム１０の信号増幅器１６０は、音声信号処理部１２０で処理された音声信号を、可聴音出力スピーカー１８０の特性に応じて増幅するアンプ（Amplifier）である。
【００２２】
音響システム１０の可聴音出力スピーカー１８０は、信号増幅器１６０で処理された音声信号（電気信号）を物理信号（物理振動）に変換することによって、可聴音波を出力して音声を再生する機器である。可聴音出力スピーカー１８０は、本実施形態では、ダイナミック型のラウドスピーカー（Loudspeaker）であるが、他の実施形態では、リボン型やコンデンサー型など他のスピーカーであっても良い。
【００２３】
音響システム１０の変調部２４０は、音声信号処理部１２０で処理された音声信号を用いて、超音波発振器２５０で生成した超音波の搬送波信号を変調する。音響システム１０の信号増幅器２６０は、変調部２４０で処理された搬送波信号を、パラメトリックスピーカー２８０の特性に応じて増幅するアンプである。
【００２４】
音響システム１０のパラメトリックスピーカー２８０は、平面上に並設した複数の超音波トランスデューサー２８８を備える。パラメトリックスピーカー２８０は、信号増幅器２６０で処理された搬送波信号を複数の超音波トランスデューサー２８８で物理信号（物理振動）に変換することによって超音波を出力し、パラメトリックアレイ効果により可聴域の音声を再生する。超音波トランスデューサー２８８の個数は、本実施形態では、８個であるが、他の実施形態では、８個よりも少なくても多くても良い。
【００２５】
本実施形態では、変調部２４０において搬送波信号を振幅変調し、この振幅変調した搬送波信号に基づく超音波をパラメトリックスピーカー２８０で空気中に発生させる。これによって、その超音波が空気中を伝播する際の非線形特性によって可聴域の音声を発生させる。
【００２６】
他の実施形態では、変調部２４０において搬送波信号を周波数変調し、この周波数変調した搬送波信号に基づく超音波と、超音波発振器２５０で生成した元の搬送波信号に基づく超音波とを、パラメトリックスピーカー２８０で空気中に同時に発生させても良い。これによって、２つの超音波の周波数差のうねりによって可聴域の音声を発生させることができる。
【００２７】
図２は、可聴音出力スピーカー１８０およびパラメトリックスピーカー２８０の構成を示す説明図である。パラメトリックスピーカー２８０は、可聴音出力スピーカー１８０を中心に複数の超音波トランスデューサー２８８を配置して構成されている。本実施形態では、１個の可聴音出力スピーカー１８０が３行３列の中央に配置され、可聴音出力スピーカー１８０の周囲に８個の超音波トランスデューサー２８８がそれぞれ配置されている。
【００２８】
パラメトリックスピーカー２８０の構成は、可聴音出力スピーカー１８０の周囲に複数の超音波トランスデューサー２８８を配置した構成であれば良く、１個の可聴音出力スピーカー１８０の両端に２個の超音波トランスデューサー２８８をそれぞれ配置しても良いし、１個の可聴音出力スピーカー１８０の上下左右に４個の超音波トランスデューサー２８８をそれぞれ配置しても良い。他の実施形態では、可聴音出力スピーカー１８０の個数は、複数であっても良い。他の実施形態では、超音波トランスデューサー２８８の個数は、８個よりも少なくても多くても良い。
【００２９】
図２には、相互に直交するＸＹＺ軸を図示した。図２のＸＹＺ軸は、後述する他の図におけるＸＹＺ軸に対応する。複数の超音波トランスデューサー２８８を並べた配置の行方向をＸ軸とし、列方向をＹ軸とし、超音波トランスデューサー２８８が超音波を放出する方向をＺ軸とする。超音波トランスデューサー２８８から超音波の進行方向に向かって＋Ｚ軸方向、その逆を−Ｚ軸方向とする。本実施形態では、Ｘ軸およびＹ軸に平行な面上に可聴音出力スピーカー１８０および超音波トランスデューサー２８８が配置されている。
【００３０】
図１の説明に戻り、音響システム１０は、更に、切替指示入力部３１０と、切替制御部３３０と、報知部３８０と、照射部４００とを備える。
【００３１】
音響システム１０の切替指示入力部３１０は、音響システム１０の操作者から、音声の出力先を切り替える旨の指示入力を受け付ける。本実施形態では、切替指示入力部３１０は、押しボタンスイッチであるが、他の実施形態では、タッチパネルであっても良いし、操作者の音声を認識する装置であっても良いし、操作者が取り扱う機器からの信号を受信する受信機であっても良い。
【００３２】
音響システム１０の切替制御部３３０は、出力先切替部１３０の動作を制御する。切替制御部３３０は、調光部３３４を備える。調光部３３４は、音声の出力先の切替に応じて、光の照射態様の変更を照射部４００に指示する。本実施形態では、切替制御部３３０における調光部３３４を始めとする機能は、コンピュータープログラムに基づいてＣＰＵが動作することによってソフトウェア的に実現される。他の実施形態において、切替制御部３３０における機能の少なくとも一部は、切替制御部３３０が備える回路構成に基づいてハードウェア的に実現されても良い。
【００３３】
音響システム１０の報知部３８０は、切替制御部３３０からの制御信号に基づいて、種々の情報を報知する。本実施形態では、報知部３８０は、ディスプレイであり、光による画像によって情報を報知する。他の実施形態では、報知部３８０は、光によって情報を報知可能なＬＥＤ（Light Emitting Diode）、回転灯などであっても良いし、音声によって情報を報知可能なスピーカーであっても良い。
【００３４】
本実施形態では、報知部３８０は、出力先切替部１３０によって選択されている音声の出力先を報知する。本実施形態では、可聴音出力スピーカー１８０が音声の出力先に選定されている場合、報知部３８０は、「広角」の文字を点灯表示し、パラメトリックスピーカー２８０が音声の出力先に選定されている場合、報知部３８０は、「狭角」の文字を点灯表示する。
【００３５】
音響システム１０の照射部４００は、出力先切替部１３０によって切り替えられた音声の出力先に応じて、各出力先による音声の可聴音場範囲に対応する照射範囲に光を照射する。本実施形態では、照射部４００は、切替制御部３３０の調光部３３４からの制御信号に基づいて、各出力先による音声の可聴音場範囲に対応する照射範囲に光を照射する。
【００３６】
図３は、広角指向時に照射部４００が光を照射する様子を示す説明図である。図４は、狭角指向時に照射部４００が光を照射する様子を示す説明図である。図３および図４には、可聴音出力スピーカー１８０による再生音声を聴取可能な範囲である可聴音場範囲ＤＡｗに、右下がりのハッチングを施した。図３および図４には、パラメトリックスピーカー２８０による再生音声を聴取可能な範囲である可聴音場範囲ＤＡｎに、左下がりのハッチングを施した。パラメトリックスピーカー２８０の可聴音場範囲ＤＡｎは、パラメトリックスピーカー２８０からの超音波の到達領域に対応する。
【００３７】
図３および図４に可聴音場範囲ＤＡｗとして示すように、可聴音出力スピーカー１８０は、比較的に広い広角範囲の指向特性を有する。図３および図４に可聴音場範囲ＤＡｎとして示すように、パラメトリックスピーカー２８０は、比較的に狭い狭角範囲の指向特性を有する。本実施形態では、可聴音場範囲ＤＡｗと可聴音場範囲ＤＡｎとが重なる範囲では、可聴音出力スピーカー１８０による再生音声と、パラメトリックスピーカー２８０による再生音声とが、同じ位置において同じ音圧レベルの音声として認識されるように調整される。
【００３８】
可聴音出力スピーカー１８０の可聴音場範囲ＤＡｗの中心軸と、パラメトリックスピーカー２８０の可聴音場範囲ＤＡｎの中心軸とは、Ｚ軸方向に平行な軸Ｃに略一致する。すなわち、可聴音出力スピーカー１８０による可聴音波の放出方向（＋Ｚ軸方向）に、パラメトリックスピーカー２８０による超音波の放出方向（＋Ｚ軸方向）を合わせて、可聴音出力スピーカー１８０およびパラメトリックスピーカー２８０が構成されている。
【００３９】
図３および図４に示すように、照射部４００は、可聴音出力スピーカー１８０およびパラメトリックスピーカー２８０よりも、各スピーカーによる音波の放出方向（＋Ｚ軸方向）に対する反対方向側、すなわち−Ｚ軸方向側に配置されている。本実施形態では、照射部４００による光の照射範囲の中心軸は、軸Ｃに略一致する。照射部４００は、光源４２０と、凸レンズ４３０と、凹レンズ４４０と、反射鏡４５０と、移動部４６０とを備える。
【００４０】
照射部４００の光源４２０は、＋Ｚ軸方向に向けて光を放出する。本実施形態では、光源４２０は、超高圧水銀灯（ＵＨＥランプ）であるが、他の実施形態では、ＬＥＤであっても良いし、ＬＤ（Laser Diode）であっても良い。
【００４１】
照射部４００の凸レンズ４３０は、光源４２０よりも＋Ｚ軸方向側に設けられており、光源４２０から放出される光を凹レンズ４４０へと集光する。凸レンズ４３０は、本実施形態では、１つのレンズで構成されているが、他の実施形態では、複数のレンズを組み合わせて構成されていても良い。
【００４２】
照射部４００の凹レンズ４４０は、凸レンズ４３０よりも＋Ｚ軸方向側に設けられており、凸レンズ４３０によって集光された光を、可聴音出力スピーカー１８０およびパラメトリックスピーカー２８０に向けて拡散させる。凹レンズ４４０は、本実施形態では、１つのレンズで構成されているが、他の実施形態では、複数のレンズを組み合わせて構成されていても良い。
【００４３】
照射部４００の反射鏡４５０は、凸レンズ４３０および凹レンズ４４０の周囲に設けられ、光源４２０から凸レンズ４３０を経て凹レンズ４４０に至る光の漏れを防止する。本実施形態では、反射鏡４５０は、＋Ｚ軸方向に向けて径が大きくなる円筒形をなす。
【００４４】
照射部４００の移動部４６０は、出力先切替部１３０によって切り替えられた音声の出力先に応じて、光源４２０を移動させることによって、光の照射範囲を切り替える機構である。本実施形態では、移動部４６０は、切替制御部３３０の調光部３３４からの制御信号に基づいて、光源４２０をＺ軸方向に沿って移動させる。本実施形態では、移動部４６０は、ステッピングモーターを用いて光源４２０を位置決めする機構である。
【００４５】
図３に示すように、可聴音出力スピーカー１８０が音声の出力先に選定されている場合（広角指向時）、移動部４６０は、光源４２０を−Ｚ軸方向寄りに移動させ、光源４２０と凸レンズ４３０との間のＺ軸方向に沿った距離を、狭角指向時の距離ＬＤｎよりも大きい距離ＬＤｗとする。これによって、凹レンズ４４０から放出される光の拡散角が狭角指向時よりも大きくなり、可聴音出力スピーカー１８０の可聴音場範囲ＤＡｗに対応する第１の照射範囲ＬＡｗに光が照射される。
【００４６】
図４に示すように、パラメトリックスピーカー２８０が音声の出力先に選定されている場合（狭角指向時）、移動部４６０は、光源４２０を＋Ｚ軸方向寄りに移動させ、光源４２０と凸レンズ４３０との間のＺ軸方向に沿った距離を、広角指向時の距離ＬＤｗよりも小さい距離ＬＤｎとする。これによって、凹レンズ４４０から放出される光の拡散角が広角指向時よりも小さくなり、パラメトリックスピーカー２８０の可聴音場範囲ＤＡｎに対応する第２の照射範囲ＬＡｎに光が照射される。
【００４７】
以上説明した第１実施形態では、出力先切替部１３０による可聴音出力スピーカー１８０への切替に応じて、可聴音出力スピーカー１８０による音声の可聴音場範囲ＤＡｗに対応する第１の照射範囲ＬＡｗに、照射部４００によって光を照射すると共に、出力先切替部１３０によるパラメトリックスピーカー２８０への切替に応じて、パラメトリックスピーカー２８０による音声の可聴音場範囲ＤＡｎに対応する第２の照射範囲ＬＡｎに、照射部４００によって光を照射する。これによって、可聴音出力スピーカー１８０およびパラメトリックスピーカー２８０の各可聴音場範囲を聴取者に認識させることができる。
【００４８】
また、第１実施形態では、可聴音出力スピーカー１８０による可聴音波の放出方向に、パラメトリックスピーカー２８０による超音波の放出方向を合わせて、可聴音出力スピーカー１８０およびパラメトリックスピーカー２８０を構成し、可聴音出力スピーカー１８０およびパラメトリックスピーカー２８０よりも−Ｚ軸方向側に照射部４００を配置した。これによって、可聴音出力スピーカー１８０およびパラメトリックスピーカー２８０による音声の再生を照射部４００で阻害することなく、可聴音出力スピーカー１８０の可聴音場範囲ＤＡｗと第１の照射範囲ＬＡｗとの間の相関性、およびパラメトリックスピーカー２８０の可聴音場範囲ＤＡｎと第２の照射範囲ＬＡｎとの間の相関性を、それぞれ向上させることができる。
【００４９】
また、照射部４００において光源４２０を移動させることによって光の照射範囲を切り替えるため、第１の照射範囲ＬＡｗと第２の照射範囲ＬＡｎとの間で光の照射範囲を容易に切り替えることができる。
【００５０】
Ｂ．第２実施形態：
第２実施形態の説明では、第１実施形態と同様の構成については第１実施形態と同じ符号を用い、構成や動作などが異なるものの第１実施形態に対応する構成については第１実施形態の符号に英文字「Ｂ」を付した符号を用いる。
【００５１】
第２実施形態の音響システム１０Ｂは、第１実施形態の照射部４００とは異なる照射部４００Ｂを備える点を除き、第１実施形態の音響システム１０と同様である。
【００５２】
図５は、第２実施形態における広角指向時に照射部４００Ｂが光を照射する様子を示す説明図である。図６は、第２実施形態における狭角指向時に照射部４００Ｂが光を照射する様子を示す説明図である。図５および図６には、図３および図４と同様に、可聴音場範囲ＤＡｗおよび可聴音場範囲ＤＡｎを図示した。
【００５３】
図５および図６に示すように、第２実施形態の照射部４００Ｂは、第１実施形態の照射部４００と同様に、可聴音出力スピーカー１８０およびパラメトリックスピーカー２８０よりも−Ｚ軸方向側に配置されている。本実施形態では、照射部４００Ｂによる光の照射範囲の中心軸は、軸Ｃに略一致する。照射部４００Ｂは、光源４２０Ｂと、凹面境４２２Ｂと、反射鏡４５０Ｂと、移動部４６０Ｂとを備える。
【００５４】
照射部４００Ｂの光源４２０Ｂは、−Ｚ軸方向に向けて光を放出する。本実施形態では、光源４２０Ｂは、超高圧水銀灯（ＵＨＥランプ）であるが、他の実施形態では、ＬＥＤであっても良いし、ＬＤ（Laser Diode）であっても良い。
【００５５】
照射部４００Ｂの凹面境４２２Ｂは、光源４２０Ｂの周囲に−Ｚ軸方向に向けて設けられ、光源４２０Ｂから放出される光を反射鏡４５０Ｂへと反射させる。
【００５６】
照射部４００Ｂの反射鏡４５０Ｂは、光源４２０Ｂの周囲に設けられ、光源４２０Ｂから放出される光を、可聴音出力スピーカー１８０およびパラメトリックスピーカー２８０に向けて拡散させる。本実施形態では、反射鏡４５０Ｂは、＋Ｚ軸方向に向けて径が大きくなる円錐形をなす。
【００５７】
照射部４００Ｂの移動部４６０Ｂは、出力先切替部１３０によって切り替えられた音声の出力先に応じて、光源４２０Ｂを移動させることによって、光の照射範囲を切り替える機構である。本実施形態では、移動部４６０Ｂは、切替制御部３３０の調光部３３４からの制御信号に基づいて、光源４２０ＢをＺ軸方向に沿って移動させる。本実施形態では、移動部４６０Ｂは、ステッピングモーターを用いて光源４２０Ｂを位置決めする機構である。
【００５８】
図５に示すように、可聴音出力スピーカー１８０が音声の出力先に選定されている場合（広角指向時）、移動部４６０Ｂは、光源４２０Ｂを＋Ｚ軸方向寄りに移動させ、光源４２０Ｂと反射鏡４５０Ｂの頂点との間のＺ軸方向に沿った距離を、狭角指向時の距離ＬＤｎ２よりも大きい距離ＬＤｗ２とする。これによって、反射鏡４５０Ｂから放出される光の拡散角が狭角指向時よりも大きくなり、可聴音出力スピーカー１８０の可聴音場範囲ＤＡｗに対応する第１の照射範囲ＬＡｗに光が照射される。
【００５９】
図６に示すように、パラメトリックスピーカー２８０が音声の出力先に選定されている場合（狭角指向時）、移動部４６０Ｂは、光源４２０を−Ｚ軸方向寄りに移動させ、光源４２０Ｂと反射鏡４５０Ｂの頂点との間のＺ軸方向に沿った距離を、広角指向時の距離ＬＤｗよりも小さい距離ＬＤｎとする。これによって、反射鏡４５０Ｂから放出される光の拡散角が広角指向時よりも小さくなり、パラメトリックスピーカー２８０の可聴音場範囲ＤＡｎに対応する第２の照射範囲ＬＡｎに光が照射される。
【００６０】
以上説明した第２実施形態によれば、第１実施形態と同様に、可聴音出力スピーカー１８０およびパラメトリックスピーカー２８０の各可聴音場範囲を聴取者に認識させることができる。また、可聴音出力スピーカー１８０およびパラメトリックスピーカー２８０による音声の再生を照射部４００Ｂで阻害することなく、可聴音出力スピーカー１８０の可聴音場範囲ＤＡｗと第１の照射範囲ＬＡｗとの間の相関性、およびパラメトリックスピーカー２８０の可聴音場範囲ＤＡｎと第２の照射範囲ＬＡｎとの間の相関性を、それぞれ向上させることができる。また、照射部４００Ｂにおいて光源４２０Ｂを移動させることによって光の照射範囲を切り替えるため、第１の照射範囲ＬＡｗと第２の照射範囲ＬＡｎとの間で光の照射範囲を容易に切り替えることができる。
【００６１】
Ｃ．その他の実施形態：
以上、本発明の実施形態について説明したが、本発明はこうした実施形態に何ら限定されるものではなく、本発明の趣旨を逸脱しない範囲内において様々な形態で実施し得ることは勿論である。
【００６２】
例えば、第１実施形態では、光源４２０を移動させることによって光の照射範囲を変更したが、他の実施形態では、光源４２０、凸レンズ４３０、凹レンズ４４０の少なくとも一つを移動させることによって光の照射範囲を変更しても良い。また、第２実施形態では、光源４２０Ｂを移動させることによって光の照射範囲を変更したが、他の実施形態では、光源４２０Ｂおよび反射鏡４５０Ｂの少なくとも一方を移動させることによって光の照射範囲を変更しても良い。
【符号の説明】
【００６３】
１０，１０Ｂ…音響システム
８０…音声機器
１１０…音声信号入力部
１２０…音声信号処理部
１３０…出力先切替部
１６０…信号増幅器
１８０…可聴音出力スピーカー
２４０…変調部
２５０…超音波発振器
２６０…信号増幅器
２８０…パラメトリックスピーカー
２８８…超音波トランスデューサー
３１０…切替指示入力部
３３０…切替制御部
３３４…調光部
３８０…報知部
４００，４００Ｂ…照射部
４２０，４２０Ｂ…光源
４２２Ｂ…凹面境
４３０…凸レンズ
４４０…凹レンズ
４５０，４５０Ｂ…反射鏡
４６０，４６０Ｂ…移動部
ＤＡｎ…可聴音場範囲
ＤＡｗ…可聴音場範囲
ＬＡｗ…第１の照射範囲
ＬＡｎ…第２の照射範囲
【図１】
2013192046.tif 000003
【図２】
2013192046.tif 000004
【図３】
2013192046.tif 000005
【図４】
2013192046.tif 000006
【図５】
2013192046.tif 000007
【図６】
2013192046.tif 000008